(57)【特許請求の範囲】
【請求項１】
外袋と、内袋と、緩衝体ビーズからなる梱包用マットであって、
外袋は、内袋を収容する気密性を有する袋であり、バルブを有し、
バルブは、逆止弁と吸気弁との組み合わせであり、
逆止弁は、外袋内の脱気に際し、ポンプの吸引力が作用したときに開弁し、脱気後は閉弁して外袋内への外気の導入を阻止するものであり、
吸気弁は、手動操作により開弁し、脱気された外袋内へ外気を導入させるものであり、
内袋は、伸縮性を有する通気性の袋であり、袋を形成する上下のシート面には接合点を有し、
接合点は、内袋の上下のシート面の全面にわたり縦横の一定間隔ごとに微小範囲を一体に結合し、内袋の平坦な面の各所に散在して緩衝体ビーズを閉じ込める区画を形成する部分であり、
緩衝体ビーズは、緩衝性を有する粒状体であり、内袋内に充填され、いくつかの接合点を結ぶそれぞれの区画内に実質的に定量が閉じ込められ、
緩衝体ビーズが充填された内袋は平坦なほぼ一定厚みの緩衝層となって外袋内に挿入されているものであることを特徴とする梱包用マット。
【請求項２】
前記各接合点は、内袋の平坦な面に行列方向の列ごとに縦横の位置を互いにずらせ、あるいは縦横に整列させて各所に散在させたものであり、
互いに隣接する４つの接合点によって囲まれた区画が実質的に独立した構造体を構成し、各接合点を結ぶ区画内に緩衝体ビーズを実質的に内に閉じ込めるものであることを特徴とする請求項１に記載の梱包用マット。
【請求項３】
前記内袋のシートは、繊維糸の編み地の表編み地と裏編み地とこれらを連結する連結糸から構成された立体編み物であることを特徴とする請求項１に記載の梱包用マット
【請求項４】
前記緩衝体ビーズは、内袋の一部に設けられた開口から高圧空気で圧送して各接合点を結ぶそれぞれの区画内に均等に封入されたものであることを特徴とする請求項１に記載の梱包用マット。
【請求項５】
カバーシートと組み合わせた梱包用マットであって、
梱包用マットは、カバーシートのフラップとなる部分を一部に残してカバーシートのシート面に重ねてカバーシートと一体に接合され、
カバーシートは、梱包用マットの露出面を内側にして２つ折りに折り曲げられ、その両側縁が接合あるいは開閉可能に封止され、
これによって２つ折りのカバーシートと梱包用マットとの組合せはバッグとなり、
カバーシートのフラップとなる部分は、バッグの開口を塞ぐ蓋となるものであることを特徴とする請求項１，２，３，４のいずれか１に記載の梱包用マット。
【発明の詳細な説明】
【技術分野】
【０００１】
本発明は、物品、特に宅配便用の梱包用マットに関する。
【背景技術】
【０００２】
物品を輸送する際には、輸送中に受ける衝撃や振動などから物品を有効に保護するため、通常は緩衝性を有する紙やプラスチックシートその他の緩衝材を用いて物品を梱包し、更に、必要に応じて物品が動かないよう詰め物をして外箱内に梱包される。
【０００３】
製品をメーカーや量販店の修理センターに配送する時や製品の販売時には、「個装」つまり、物品個々を包装し、物品の商品価値を高めるため、又は物品を保護するために適切な材料容器などを物品に施すことが必要であるが、修理のために、製品の運送を宅配業者に依頼するようなときには、製品販売時のような「個装」は必要ではなく、要するに輸送中に受けるかもしれない衝撃や外力から製品を有効に保護できれば足りると考えられる。
【０００４】
物品運送用の袋ではないが、買い物袋などとして使用することを目的とした保温袋として、特許文献１には、発泡粒状体の断熱効果を利用した袋が記載されている。この保温袋は、相互間に粒状体収容部を形成して自在に変形可能な内側袋部及び外側袋部を有する２重袋で、保温物を収納可能に形成され、かつ前記両袋部の内の少なくとも外側袋部が非通気性をなす袋本体と、前記粒状体収容部に収容され、この収容部が脱気されるにつれて互いに密着状態に集合して固化状態となる無数の発泡粒状体と、前記粒状体収容部に連通して前記袋本体に設けられ、前記粒状体収容部が脱気した状態を保持する吸気弁を有する給排気口とを具備したことを特徴とする保温袋である。
【０００５】
特許文献１に記載された保温袋によれば、粒状体収容部内に収容されている無数の発泡粒状体を被保温物の形状に沿うように固化状態とすることによって、袋本体内で被保温物の周囲の空気の対流による熱損失をなくすとともに、発泡粒状体群で断熱ができるから、被保温物の温度変化を長時間にわたり抑制できるとともに、前記固化状態の発泡粒状体で被保温物を袋本体内で動かないように位置決めすることによって、被保温物が動くことに基づく被保温物の品質劣化を防止できるという効果が強調されている。
【０００６】
特許文献１に記載の保温袋は、被保温物の形状に沿うように固化状態として発泡粒状体群（ビーズ）の断熱効果を被保温物の保温に利用したものであるが、前記固化状態の発泡粒状体で被保温物を袋本体内で動かないように位置決めできることは、固化状態とした発泡粒状体群は断熱効果だけでなく、緩衝効果を期待でき、また、物品を定位置に安定に保持できることは、宅配便として輸送される物品を梱包する上にも大きな効果が期待できる。
【０００７】
ところが、マットの袋体内にビーズを収容しただけでは梱包用マット内にビーズを均一に分散させることができず、特に梱包用マットで立体形状の物品を包んだときに、梱包用マットは物品外壁面に沿って立ち上る部分が生じるが、その立ち上げ部分では梱包用マット内のビーズの収納量が少なくなり、極端な場合には立ち上げ部分の一定範囲にわたってビーズがなくなってしまうという事態が生じる。いうまでもなく、ビーズの収納量が少なくなったり、さらには局部的にもビーズがなくなってしまうといった事態が発生すると、梱包用マットを物品に密着させて安定に保持させることができないばかりか、ビーズによる緩衝効果も期待できない。
【先行技術文献】
【特許文献】
【０００８】
【特許文献１】特開２００１−３２１２１７
【特許文献２】特許第２８４７６５１号公報
【発明の概要】
【発明が解決しようとする課題】
【０００９】
解決しようとする問題点は、梱包物品を梱包用マットで包むときに、梱包用マットに充填されたビーズが偏在し、物品を定位置に安定に保持させることができないだけでなく、ビーズによる緩衝効果が得られないという点である。
【課題を解決するための手段】
【００１０】
上記課題を解決するために、本発明による梱包用マットは、気密性を有する外袋と、外袋に内装された通気性を有する内袋と、内袋内に充填した緩衝体ビーズとの組み合わせからなり、内袋を構成する対のシート面の対向面の要所を一定間隔ごとに縫合し、互いに隣接する３点以上の各接合点によって囲まれる区画内に定量の緩衝体ビーズを閉じ込めて梱包用マットに充填されたビーズを偏在させないようにした点を最大の特徴とする。
【発明の効果】
【００１１】
本発明による梱包用マットは、風呂敷と同様に床や卓上に広げて物品を包んだり、収納袋として物品を収納して折りたたんだり、あるいは物品を挟んだりして物品を梱包でき、物品梱包の際に、梱包用マットの一部を立ち上げたりあるいは折り曲げたりしても、梱包用マット内に充填された緩衝体ビーズは内袋内で偏ることがない。
【００１２】
さらに、物品を梱包した状態でマットの外袋内を脱気すれば、内袋内の緩衝体ビーズの層は、一定厚みのまま固化し、緩衝体ビーズの固化層にて梱包物品を安定に支え、緩衝体ビーズの固化層の有する緩衝作用によって、運搬中に外部から受けるかもしれない衝撃、振動による破損、損傷から梱包物品を有効に保護することができる。
【図面の簡単な説明】
【００１３】
【図１】本発明による梱包用マットの１実施例を示す図であり、（ａ）は斜視図、（ｂ）は（ａ）のＡ−Ａ線断面図である。
【図２】（ａ）、（ｂ）は内袋に設ける接合点の態様を示す図である。
【図３】接合点が形成する区画を示す図である。
【図４】バルブの構造を示す図であり、（ａ）は平面図、（ｂ）は（ａ）のＢ−Ｂ線断面図である。
【図５】梱包用マットを外箱と組み合わせてユニットを形成する例を示す図である。
【図６】（ａ）は物品を包んだマットを外箱に固定する固定用テープを設ける例を示す図、（ｂ）は物品を包んだマットを固定用テープで止め、更に物品を包んだマットを外箱の固定用テープで外箱に固定した状態を示す図である。
【図７】マットにも物品を包んだ状態に保持させる固定用テープを設ける例を示す図である。
【図８】梱包用マットをカバーシートと組み合わせた例を示す図であり、（ａ）は底面図、（ｂ）は（ａ）のＸ−Ｘ線断面図、（ｃ）はマットを２つ折りにしてバッグまたはホルダーとした例である。
【図９】評価１の測定要領を示す図である。
【図１０】評価２の測定要領を示す図である。
【発明を実施するための形態】
【００１４】
以下、本発明の実施の形態について詳細に説明する。図１において、本発明による梱包用マット（以下マットと略称する）１０は、外袋１と、内袋２と、内袋２内に充填された緩衝体ビーズ３との組み合わせからなっている。この実施例において、外袋１は、気密性を有する長方形の対の外層シート１ａ、１ｂを上下に重ね合わせ、その周縁を気密にシールして扁平な長方形の袋状に加工されたものである。外袋１のシート面の一部にはバルブ４が取り付けられている。
【００１５】
内袋２は、伸縮性を有する通気性の袋である。通気性を有する長方形の対のシートの周縁を縫合して外袋よりひと周り小さい平坦な長方形の袋状に加工されている。緩衝体ビーズ３を充填した内袋２は外袋１に挿入される。本発明において、内袋２は、袋を形成する上下のシート面には接合点５を有している。接合点５は、内袋２の上下のシート面の全面にわたり、図２に示すように縦横の一定間隔ごとに微小範囲を一体に結合した部分である。この実施例において、各接合点５は、図２（ａ）のように内袋を上方から視たときに、行列方向の列ごとに縦横の位置を互いにずらせて各所に散在させているが、これは図２（ｂ）のように縦横に整列させてもかまわない。
【００１６】
内袋２は、通気性のシートの周縁を縫合し、マットの両面を形成するシートの平坦な面の要所を接合することによって得られるが、この実施例に用いた内袋のシートには、繊維糸の編み地の表編み地と裏編み地とこれらを連結する連結糸から構成された立体編み物を用いている。このような編み物には、例えば旭化成株式会社の立体編み物「ダブルラッセル（登録商標）」（特許文献２参照）がある。
【００１７】
このような立体編み物によれば、互いに近接する３点以上のいくつかの区画、この実施例では図３に示すように４つの接合点５，５，５，５によって囲まれた区画が実質的に独立した構造体を構成し、編み地は伸縮性に富んでいるため、各接合点５を結ぶ区画内に緩衝体ビーズ３を実質的に閉じ込めることができ、緩衝体ビーズ３が充填された内袋２は平坦なほぼ一定厚みとなる。また、上記立体編み物によるときには、最初に内袋２内に緩衝体ビーズ３を封入するに際し、内袋２の一部に開口（図示略）を設け、その開口から高圧空気で緩衝体ビーズを圧送して各接合点５を結ぶ区画内に適量を均等に封入することができる。開口は後に閉じて緩衝体ビーズの流失を防止する。なお、内袋２を形成する上下のシートは伸縮性を有することが必要であるが、必ずしも編み物である必要はない。伸縮性の織物であっても使用できる。
【００１８】
緩衝体ビーズ３は、発泡ポリエチレンあるいは発泡ポリスチレンの粒状体であり、その粒径の大きさは問わないが、粒径が小さいほど物品の形状によくなじませることができる。緩衝体ビーズ３を充填した通気性の内袋２を気密性の外袋１内に挿入することによって緩衝体ビーズ３は、外袋１の密閉空間に充填されることになる。緩衝体ビーズ３の層の厚みは内袋２の高さによって規制され、内袋２は、ほぼ一定厚さの平坦な緩衝層となり、外袋１は内袋２と組み合わされて扁平なマットが得られる。
【００１９】
外袋１のシート面に備えたバルブ４は、逆止弁と吸気弁との組み合わせからなっている。図４にバルブ４の構造を示す。バルブ４は、逆止弁６と吸気弁７との組み合わせからなり、吸気弁７は、円筒状の弁箱８の内部中心の流路に組み込まれ、逆止弁６は、その周囲に同心上の位置に形成された流路に組み込まれている。
【００２０】
逆止弁６は、マット１０内の脱気に際し、ポンプの吸引力が作用したときにその吸引力を受けて開弁し、脱気後は閉弁してマット１０内への外気の導入を阻止するものであり、吸気弁７は、弁箱８の上端に備えたキャップ９を手動で回転することによって、押し下げられて開弁し、脱気されたマット１内への外気の導入を可能にするものである。脱気されたマット１０は固化し、収納された物品Ｍの表面に密着して当該物品Ｍを定位置に保持する。なお、外袋、内袋の平面形状は長方形の例で説明しているが、正方形であってもかまわない。マット１０の形状は問わない。
【００２１】
次に、宅配便としての運送に備え、外箱１１と組み合わせて物品の梱包ユニットとして利用できる。以下に物品をマット１０に包み、これを外箱１１内に梱包する場合の手順を説明する。図５（ａ）において、まず外箱１１内にマット１０を差し込み、同図（ｂ）のように外箱１１の底にマット１０を敷き詰め、その端縁（四隅）を内壁に沿って立ち上げ、外箱１１の縁から外部に垂らす。
【００２２】
ついで梱包すべき物品Ｍを外箱１１内に収容してマット上に置き（図５（ｃ））、マットの端縁（四隅）を、図５（ｄ）〜（ｅ）の順に順次折り返して物品Ｍの上面を覆い、物品Ｍをマット１０に包んだ状態で、図５（ｆ）のようにマット１０の外袋１の一部に取り付けたバルブ４にポンプ１２を差し込み、ハンドル１３を操作してマット１０内を脱気する。これによって、図５（ｇ）のようにマット１０は固化し、物品Ｍの表面に密着する。
【００２３】
この状態で図５（ｈ）のように、外箱１１の開口を施蓋すれば梱包が完了するが、宅配便として輸送するためには、物品Ｍを包んだマット１０を外箱１１に固定して搬送中に物品が外箱内で動かないようにしておくことが必要である。図６は、物品Ｍを包んだマット１０を外箱１１に固定する固定用テープ１４を設けた例である。固定用テープ１４は例えば面ファスナー（マジックファスナー（登録商標））であり、図６（ａ）は、外箱１１の対向内壁面に向き合わせて固定用テープ１４の対を設けた例を示している。
【００２４】
一方、マット１０にも、図７のように物品を包んだ状態を保持させるために固定用テープ１５を設けて置くことが好ましい。この例によれば、物品を包んだ状態で図６（ｂ）に示すようにマットの対向端縁間を固定用テープ１５で止め、次いで外箱１１の内壁に付設した対の固定用テープ１４をマット１０の上面に止めて施蓋する。
【００２５】
これによって、マットに包まれた物品は、外箱１１に固定され、運搬中に、振動や衝撃が加えられても外箱内で浮動、転動することがなく、運搬中に受けるかもしれない振動や衝撃は、マット１０内でほぼ固化した緩衝体ビーズ３の緩衝層によって吸収される。目的地に届けられた貨物を開梱するには、外箱１１の蓋を開き、固定用テープ１４、１５を外し、バルブ４のキャップ９をまわし、吸気弁７を押し下げて流路を開き、その流路を通してマット１０内に外気を導入する。
【００２６】
外気の流入によって、マット１０内の容量が増加して緩衝体ビーズ３の充填密度が減少し、マット１０の緊張がほぐれてやわらかくなり、容易にマット１０を開いて物品Ｍを外箱１１から取り出すことができる。
【００２７】
このように、梱包ユニットとして利用する場合に、外箱１１は梱包すべき物品Ｍを包んだマット１０を収容し固定する箱であり、本発明によるマット１０は、梱包すべき物品Ｍを包んだ状態で物品Ｍの表面形状に沿って固化し、物品Ｍの表面に密着して物品を保護する緩衝層となる。
【００２８】
梱包用マットは、カバーシートと組み合わせてバッグとして利用できる。この場合には、図８（ａ），（ｂ）に示すように、カバーシート１６は、バッグの全長より長い長方形のシートであり、フラップ１７となる部分を一部に残してそのシート面にマット１０を重ね、マット１０の一面を覆って一体に接合し、マット１０の露出面を内側にして、マット１０をカバーシート１６とともに２つ折りに折り曲げ、その両側縁を図８（ｃ）のように接合あるいは開閉可能に封止する。これによって、２つ折りのマット１０はバッグ（またはホルダー）となり、フラップ１７は袋の開口を塞ぐ蓋となる。バッグ内に物品Ｍを収納し、マット１０内を脱気して固化すれば、その固化層が梱包物品Ｍを定位置に支え、またその固化層が緩衝層として、外部から受けるかもしれない衝撃や振動から梱包物品Ｍを保護する。
【００２９】
（評価例）
以下に、立体編み物を用いた内袋内にビーズを充填し、その充填量を変えたときにビーズ偏在性及び折り畳み性を評価した。なお、内袋の立体編物には、ポリエステル繊度７５デニール、外形１０００ｍｍ×１０００ｍｍ、表裏の編み込みパターンは、ドッド総柄、ドット部の直径１０ｍｍ、ドット間距離５０ｍｍ、生地の重量２０５ｇ、緩衝体ビーズには、発泡ポリエチレン、発泡倍率３０倍±３％、球径４．５ｍｍ±１０％の発泡体ビーズを用いた。
【００３０】
評価の方法は以下のとおりである。
（１）（評価１）内袋内での緩衝体ビーズの偏在評価
＜方法＞
・  平滑に均したビーズ入りの内袋を、図９に示すように垂直壁面に左右及び中央のそれぞれ上端をそれぞれ固定し、その状態で５分経過後、内袋内でのビーズの変位量を測定した。
・  測定箇所は左端、右端及び中央部の３点とし、以下の基準に従って〇、△、×の判定を行った。
＜判定基準＞
垂直姿勢に置かれた内袋の高さＬに対するビーズの変位量Ｘが０〜５％未満を〇判定とし、５％〜１０％未満を△、１０％以上を×と判定した。判定結果を表１に示す。
【００３１】
（２）（評価２）内袋の折り畳み性の評価
＜方法＞
平滑に均したビーズ入りの内袋を図１０に示すように４つ折にし、その上部に平板を置いて測定した。測定箇所は、４つ折の際に２度折りした角の厚みである。
＜判定基準＞
平滑に均したビーズ入りの内袋の厚みの４倍に対し、４つ折の際の２度折りした角の厚みＸが＋１０％未満を〇、１０〜１５％未満を△、１５％以上を×と判定した。
判定結果を表１に示す。
【００３２】
【表１】
0005424392.tif 000002
【００３３】
表１の結果から明らかなようにビーズ容量一袋あたり４８０〜４９０ｇのときにビーズの偏在性、折り畳み性のいずれにおいても〇の判定結果が得られた。
本発明のマットは、袱紗折りに折り曲げて物品を包んだとき、袋状に加工して物品を格納したとき、あるいは２つ折に折り曲げて物品を挟むときに生じるマットの折り曲げ、折り畳み、立ち上げなどいずれの状態においても内袋内に収納したビーズの層の厚みに大きな変動がなく、脱気後もほぼ一定の厚さに保たれて緩衝作用が確保され、物品を安定に保持させることができる。
【産業上の利用可能性】
【００３４】
本発明による梱包用マットは、小売店、量販店から買主に商品を届ける場合、物品の修理のために、物品の使用者から、修理センターに物品を配送する場合、修理を終えた製品を修理センターから依頼主に返送する場合はもとより、引越しや宅配便による商品の運送、デパート、小売店からの商品の配送、工場や事務所間の物品、書類の輸送にも広く活用することができる。
【符号の説明】
【００３５】
１  外袋  １ａ，１ｂ  外層シート２  内袋  ３  緩衝体ビーズ  ４  バルブ  ５  接合点  ６  逆止弁  ７  吸気弁  ８  弁箱  ９  キャップ  １０  マット  １１  外箱  １２  ポンプ  １３  ハンドル  １４，１５  固定用テープ  １６  カバーシート  １７  フラップ  Ｍ  物品
【図１】
0005424392.tif 000003
【図２】
0005424392.tif 000004
【図３】
0005424392.tif 000005
【図４】
0005424392.tif 000006
【図５】
0005424392.tif 000007
【図６】
0005424392.tif 000008
【図７】
0005424392.tif 000009
【図８】
0005424392.tif 000010
【図９】
0005424392.tif 000011
【図１０】
0005424392.tif 000012